(57)【要約】【課題】被覆部材の長手方向に切り込みを容易に入れることができる被覆電線用切込工具を提供する。【解決手段】被覆電線Ｃが挿通される挿通路１５を有するハウジング１１と、挿通路１５の延在方向に対して平行に設けられた板状をなし、各々の刃先が挿通路１５内に位置するように設けられた一対の刃部材１２とを備える。【選択図】図１
2018098910.tif 000002
【特許請求の範囲】
【請求項１】
被覆電線が挿通される挿通路を有するハウジングと、
前記挿通路の延在方向に対して平行に設けられた板状をなし、各々の刃先が前記挿通路内に位置するように設けられた一対の刃部材と
を備えたことを特徴とする被覆電線用切込工具。
【請求項２】
請求項１に記載の被覆電線用切込工具において、
前記各刃部材の刃先は、前記挿通路の出口側ほど挿通路内への突出量が増えるように傾斜していることを特徴とする被覆電線用切込工具。
【請求項３】
請求項１又は２に記載の被覆電線用切込工具において、
前記一対の刃部材は、前記挿通路の周方向において１８０度対向位置に設けられていることを特徴とする被覆電線用切込工具。
【発明の詳細な説明】
【技術分野】
【０００１】
本発明は、被覆電線の被覆部材に切り込みを入れるための切込工具に関するものである。
【背景技術】
【０００２】
従来、例えば特許文献１に開示されるように、被覆電線の被覆部材（絶縁被覆）に切り込みを入れるための切込工具がある。特許文献１の切込工具は、被覆部材に周方向に沿って切り込みを入れることが可能な構成を有している。従って、例えば電線端部の被覆部材の皮剥きを行う場合、切込工具によって被覆部材の端部近傍箇所に周方向に切り込みを入れることで、その切り込みから端部までの範囲の被覆部材を除去することが可能となる。
【先行技術文献】
【特許文献】
【０００３】
【特許文献１】実用新案登録第３０７２１６２号公報
【発明の概要】
【発明が解決しようとする課題】
【０００４】
上記特許文献１の工具では、被覆部材の長手方向の短い範囲の皮剥きには対応できるが、長い範囲の皮剥きには向かない。被覆部材の長い範囲の皮剥きを効率的に行うには、長手方向に沿って切り込みを入れることが好ましいが、カッター等を用いて手作業で長手方向に切り込みを入れるのは、危険を伴う作業であり、この点において改善の余地があった。
【０００５】
本発明は、上記課題を解決するためになされたものであって、その目的は、被覆部材の長手方向に切り込みを容易に入れることができる被覆電線用切込工具を提供することにある。
【課題を解決するための手段】
【０００６】
上記課題を解決する被覆電線用切込工具は、被覆電線が挿通される挿通路を有するハウジングと、前記挿通路の延在方向に対して平行に設けられた板状をなし、各々の刃先が前記挿通路内に位置するように設けられた一対の刃部材とを備える。
【０００７】
この構成によれば、被覆電線を挿通路に挿通させるだけで、各刃部材の刃先によって被覆部材の長手方向に切り込みを容易に入れることができる。また、１つの挿通路に対して刃部材を一対備えるため、挿通路への１度の挿通で切り込みを２箇所入れることができる。そして、切り込みを２箇所入れることで、切り込みを入れた後の被覆部材の除去作業が容易となる。
【０００８】
上記被覆電線用切込工具において、前記各刃部材の刃先は、前記挿通路の出口側ほど挿通路内への突出量が増えるように傾斜している。
この構成によれば、被覆部材を挿通路に挿通する際における、刃部材の刃先への引っ掛かりを抑えることができ、被覆部材に対する長手方向への切り込みを好適に形成できる。
【０００９】
上記被覆電線用切込工具において、前記一対の刃部材は、前記挿通路の周方向において１８０度対向位置に設けられている。
この構成によれば、被覆部材の周方向においてバランス良く切り込みを入れることができ、その結果、切り込みを入れた被覆部材の除去が容易となる。
【発明の効果】
【００１０】
本発明の被覆電線用切込工具によれば、被覆部材の長手方向に切り込みを容易に入れることができる。
【図面の簡単な説明】
【００１１】
【図１】実施形態の被覆電線用切込工具の斜視図。
【図２】同形態の被覆電線用切込工具の分解斜視図。
【図３】同形態のハウジング本体部の平面図。
【図４】同形態の被覆電線用切込工具の断面図。
【発明を実施するための形態】
【００１２】
以下、被覆電線用切込工具の一実施形態について、図１〜図４に従って説明する。なお、以下の説明では、互いに直交する三方（図中、Ｘ，Ｙ，Ｚ）をそれぞれ、切込工具の幅方向Ｘ、奥行方向Ｙ、高さ方向Ｚとして説明する。また、図面では、説明の便宜上、構成の一部を誇張又は簡略化して示す場合がある。また、各部分の寸法比率についても、実際と異なる場合がある。
【００１３】
図１に示すように、本実施形態の被覆電線用切込工具１０は、例えばワイヤハーネスに用いられる被覆電線Ｃの被覆部材Ｃａに切り込みを入れるためのものである。被覆電線用切込工具１０は、ハウジング１１と、ハウジング１１内に収容された一対の板状の刃部材１２とを備えている。
【００１４】
ハウジング１１は、ハウジング本体部１３と、ハウジング本体部１３に装着されたカバー部１４とを有している。また、ハウジング１１は、奥行方向Ｙに沿って直線状に延びる円形の挿通路１５を有している。挿通路１５は、ハウジング１１を奥行方向Ｙに貫通しており、ハウジング１１の奥行方向Ｙの一端面１１ａに入口側端部１５ａを有し、ハウジング１１の奥行方向Ｙの他端面１１ｂに出口側端部１５ｂ（図３参照）を有している。なお、入口側端部１５ａ及び出口側端部１５ｂは、外側に向かうにつれて拡径するテーパ状をなしている。
【００１５】
図２に示すように、ハウジング本体部１３は、高さ方向Ｚと直交する平面状の上面２１ａを有する基部２１と、基部２１の上面２１ａから高さ方向Ｚに突出するように立設された壁部２２とを備えている。基部２１の上面２１ａには、奥行方向Ｙに沿って直線状に延びる断面半円状の凹部２１ｂが形成されている。また、壁部２２には、凹部２１ｂと連なる貫通孔２３が奥行方向Ｙに沿って貫通形成されている。
【００１６】
カバー部１４は、基部２１の上面２１ａに対して、例えばねじ等により締結固定されている。また、カバー部１４は、挿通路１５の出口側に向かって壁部２２と当接している。カバー部１４の下面１４ａ（基部２１の上面２１ａと当接する面）には、奥行方向Ｙに沿って直線状に延びる断面半円状の凹部１４ｂが形成されている。このカバー部１４の凹部１４ｂと基部２１の凹部２１ｂとが、円形の挿通路１５の長手方向（奥行方向Ｙ）の一部を構成している。また、挿通路１５の長手方向全体としては、各凹部１４ｂ，２１ｂと壁部２２の貫通孔２３とから構成されている。
【００１７】
図２、図３及び図４に示すように、基部２１の上面２１ａには、一対の刃部材１２の各々を収容する一対の収容凹部２４が凹設されている。各収容凹部２４は、凹部２１ｂを挟んで幅方向Ｘに対向するように、凹部２１ｂの幅方向Ｘの両側に設けられている。各収容凹部２４に収容された板状の各刃部材１２は、収容凹部２４とカバー部１４とによって高さ方向Ｚに挟まれて保持されている。これにより、各刃部材１２がハウジング１１に対して固定されるようになっている。
【００１８】
各刃部材１２は、ハウジング１１への固定状態において、各刃部材１２の主面（板面）が挿通路１５の延在方向（奥行方向Ｙ）に対して平行、かつ、高さ方向Ｚに対して直交するように配置されている。各刃部材１２は、挿通路１５の周方向において１８０度対向するように配置されている（図４参照）。なお、各刃部材１２は、挿通路１５の中心軸線に対して対称に設けられている。そして、各刃部材１２の刃先１２ａ（エッジ部位）は、挿通路１５内に突出されている。また、各刃部材１２の刃先１２ａは、挿通路１５の出口側（端部１５ｂ側）ほど挿通路１５内への突出量が増えるように、挿通路１５の延在方向（奥行方向Ｙ）に対して傾斜している（図３参照）。
【００１９】
次に、本実施形態の作用について説明する。
例えば、被覆電線Ｃの解体調査において、被覆部材Ｃａを除去して内部の芯線Ｃｂの状態を確認する場合がある。このとき、被覆電線用切込工具１０を用いて、被覆部材Ｃａに長手方向に切り込みＣｋを入れることで、被覆部材Ｃａの除去が容易となる。
【００２０】
この際、被覆電線Ｃを、ハウジング１１の挿通路１５に対して入口側端部１５ａから挿入する。すると、被覆電線Ｃの被覆部材Ｃａには、各刃部材１２の刃先１２ａによって、被覆電線Ｃの挿通方向（挿通路１５の延在方向であって、奥行方向Ｙ）に沿った一対の切り込みＣｋが形成される。一対の切り込みＣｋは、各刃部材１２の配置に基づき、被覆部材Ｃａの周方向において１８０度対向位置に形成される。また、各刃部材１２の刃先１２ａは、挿通路１５の出口側ほど挿通路１５内への突出量が増えるように傾斜しているため、被覆電線Ｃを挿通路１５の出口側に押し込むにつれて、各刃部材１２の刃先１２ａが被覆部材Ｃａの内径側に徐々に食い込む。このため、引っ掛かりを抑えてスムーズに被覆部材Ｃａに切り込みＣｋを入れることが可能となっている。なお、各刃部材１２の刃先１２ａにおいて、最も突出している箇所（刃先１２ａの出口側端部）の突出量は、被覆部材Ｃａの肉厚と略同寸法となるように設定されることが好ましい。
【００２１】
次に、本実施形態の効果を記載する。
（１）被覆電線Ｃが挿通される挿通路１５を有するハウジング１１と、挿通路１５の延在方向に対して平行に設けられた板状をなし、各々の刃先１２ａが挿通路１５内に位置するように設けられた一対の刃部材１２とを備える。この構成によれば、被覆電線Ｃを挿通路１５に挿通させるだけで、各刃部材１２の刃先１２ａによって被覆部材Ｃａの長手方向に切り込みＣｋを容易に入れることができる。また、１つの挿通路１５に対して刃部材１２を一対備えるため、挿通路１５への１度の挿通で切り込みＣｋを２箇所入れることができる。そして、切り込みＣｋを２箇所入れることで、切り込みＣｋを入れた後の被覆部材Ｃａの除去作業が容易となる。
【００２２】
（２）各刃部材１２の刃先１２ａは、挿通路１５の出口側ほど挿通路１５内への突出量が増えるように傾斜している。この構成によれば、被覆部材Ｃａを挿通路１５に挿通する際における、刃部材１２の刃先１２ａへの引っ掛かりを抑えることができ、被覆部材Ｃａに対する長手方向への切り込みＣｋを好適に形成できる。このため、被覆部材Ｃａがウレタン等、比較的硬質な部材からなる場合であっても、容易に切り込みＣｋを入れることができる。
【００２３】
（３）一対の刃部材１２は、挿通路１５の周方向において１８０度対向位置に設けられている。この構成によれば、被覆部材Ｃａの周方向においてバランス良く切り込みＣｋを入れることができ、その結果、切り込みＣｋを入れた被覆部材Ｃａの除去が容易となる。
【００２４】
（４）ハウジング１１は、それぞれ凹部２１ｂ，１４ｂを有するハウジング本体部１３とカバー部１４とが互いに組み付けられてなり、凹部２１ｂ，１４ｂが組み合わされて挿通路１５を構成している。そして、カバー部１４は、ハウジング本体部１３の壁部２２に対して、挿通路１５の出口側端部１５ｂに向かって当接している。これにより、被覆電線Ｃを挿通路１５に出口側端部１５ｂに向かって挿通させる際に、カバー部１４が被覆電線Ｃとの摩擦によって位置ずれすることを抑制できる。
【００２５】
なお、上記実施形態は、以下のように変更してもよい。
・上記実施形態では、一対の刃部材１２は、挿通路１５の周方向において１８０度対向位置に設けられたが、これ以外に例えば、一対の刃部材１２同士の角度間隔が１８０度未満となるように配置してもよい。
【００２６】
・上記実施形態では、刃部材１２の刃先１２ａは、挿通路１５の出口側ほど挿通路１５内への突出量が増えるように傾斜しているが、これに特に限らず、刃先１２ａが挿通路１５の延在方向（奥行方向Ｙ）に対して垂直となるように刃部材１２を設けてもよい。
【００２７】
・上記実施形態では、挿通路１５に設けられる刃部材１２の数を２つとしたが、これに特に限定されるものではなく、１つの挿通路１５に対して３つ以上の刃部材を設けてもよい。
【００２８】
・ハウジング１１の形状等の構成は上記実施形態に限定されるものではなく、構成に応じて適宜変更可能である。
・上記実施形態において、挿通路１５に対する刃部材１２の刃先１２ａの突出量を変更すべく、刃部材１２の幅方向Ｘへの位置調整を可能に構成してもよい。この構成によれば、対象となる被覆電線Ｃの被覆部材Ｃａの肉厚に応じて、刃先１２ａの突出量を調整できるため、内部の芯線Ｃｂを刃先１２ａで傷付けることなく、被覆部材Ｃａに切り込みＣｋを入れることが可能となる。
【００２９】
・上記した実施形態並びに各変形例は適宜組み合わせてもよい。
【符号の説明】
【００３０】
１０…被覆電線用切込工具
１１…ハウジング
１２…刃部材
１２ａ…刃先
１５…挿通路
Ｃ…被覆電線
【図１】
2018098910.tif 000003
【図２】
2018098910.tif 000004
【図３】
2018098910.tif 000005
【図４】
2018098910.tif 000006